(57)【要約】【課題】携帯型読取装置を用いて情報処理装置の入力操作を可能にする。【解決手段】媒体の情報を読取る読取部を備えた携帯型読取装置２の本体に、当該本体の少なくとも２方向への移動を検出する一対の加速度センサを設ける。この読取装置２と通信ケーブル３で接続され、読取部で読取られた情報を読取装置２から受信するとその情報を処理する情報処理装置１は、加速度センサによる検出情報により本体の移動方向を判定する。また、読取装置２からの入力待ち項目を設定する。この設定される入力待ち項目と判定された読取装置２の移動方向とに基づいて、読取装置２からの入力情報を特定する。【選択図】      図１
2010055198.tif 000002
【特許請求の範囲】
【請求項１】
携帯型の本体に、媒体の情報を読取る読取部を備えた読取装置と、前記読取装置と通信手段により接続され、前記読取部で読取られた情報を前記読取装置から受信するとその情報を処理する情報処理装置とを備えた情報処理システムにおいて、
前記読取装置は、前記本体に、当該本体の少なくとも２方向への移動を検出する移動検出手段、を具備し、
前記情報処理装置は、前記移動検出手段による検出情報により前記本体の移動方向を判定する方向判定手段と、前記読取装置からの入力待ち項目を設定する入力項目設定手段と、この入力項目設定手段により設定される入力待ち項目と前記方向判定手段により判定される前記本体の移動方向とに基づいて前記読取装置からの入力情報を特定する入力情報特定手段と、を具備したことを特徴とする情報処理システム。
【請求項２】
前記情報処理装置は、前記入力情報特定手段により特定された入力情報に従い、前記入力待ち項目を更新する入力項目更新手段、をさらに具備したことを特徴とする請求項１記載の情報処理システム。
【請求項３】
前記読取装置は、前記本体に、前記移動検出手段による検出情報の出力を指令する出力指令手段、をさらに具備し、
前記情報処理装置は、前記出力指令手段により出力が指令されている間、前記移動検出情報による検出情報を前記読取装置から受信する検出情報受信手段、をさらに具備したことを特徴とする請求項１または２記載の情報処理システム。
【請求項４】
前記情報処理装置は、前記状態設定手段により設定された入力待ち項目を、前記入力情報特定手段により当該入力待ち項目の入力として特定される前記本体の移動方向とともに表示する入力項目表示手段、をさらに具備したことを特徴とする請求項１または２記載の情報処理システム。
【請求項５】
携帯型の本体に、媒体の情報を読取る読取部と、この読取部で読取った情報を外部へ出力する通信部とを備えた読取装置において、
前記本体の少なくとも２方向への移動を検出する移動検出手段と、
この移動検出手段による検出情報の前記外部への出力を指令する出力指令手段と、
を具備したことを特徴とする読取装置。
【請求項６】
前記移動検出手段は、前記本体の移動方向に沿った第１の方向及びこの第１の方向と直交する第２の方向への加速度を検出する加速度センサであり、
前記出力指令手段は、前記本体の把持部に設けられたボタンが入力されている間、前記検出情報の前記外部への出力を指令する手段であることを特徴とする請求項５記載の読取装置。
【請求項７】
携帯型の読取装置本体と通信手段により接続され、前記読取装置本体で読取られた情報を取込み処理する情報処理装置において、
前記読取装置本体の少なくとも２方向への移動を検出する移動検出手段による検出情報により前記読取装置本体の移動方向を判定する方向判定手段と、
前記読取装置本体からの入力待ち項目を設定する入力項目設定手段と、
この入力項目設定手段により設定される入力待ち項目と前記方向判定手段により判定される前記読取装置本体の移動方向とに基づいて前記読取装置からの入力情報を特定する入力情報特定手段と、
を具備したことを特徴とする情報処理装置。
【請求項８】
前記入力情報特定手段により特定された入力情報に従い、前記入力待ち項目を更新する入力項目更新手段、をさらに具備したことを特徴とする請求項７記載の情報処理装置。
【請求項９】
前記入力項目設定手段により設定された入力待ち項目を、当該入力待ち項目の入力として特定される前記読取装置本体の移動方向とともに表示する入力項目表示手段、をさらに具備したことを特徴とする請求項７または８記載の情報処理装置。
【請求項１０】
携帯型の読取装置本体と通信手段により接続され、前記読取装置本体で読取られた情報を取込み処理するコンピュータに、
前記読取装置本体の少なくとも２方向への移動を検出する移動検出手段による検出情報により前記読取装置本体の移動方向を判定する方向判定機能と、
前記読取装置本体からの入力待ち項目を設定する入力項目設定機能と、
この状態設定機能により設定される入力待ち項目と前記方向判定機能により判定される前記読取装置本体の移動方向とに基づいて前記読取装置からの入力情報を特定する入力情報特定機能と、
を実現させるためのプログラム。
【発明の詳細な説明】
【技術分野】
【０００１】
本発明は、例えばバーコードスキャナ等の読取装置と、ＰＯＳ（Point Of Sales）端末等の情報処理装置とからなる情報処理システムに関する。
【背景技術】
【０００２】
ＰＯＳ端末に接続されるバーコードスキャナには、一般に、定置式のスキャナと携帯式のスキャナとがある。コンビニエンスストアなどの店舗において、携帯式のスキャナ、いわゆるハンディスキャナを採用した場合、ＰＯＳ端末の操作者であるキャッシャは、一方の手でハンディスキャナを持ち、他方の手で客が購入する商品を持つ。そして、商品に付されたバーコードにスキャナの読取部を当てることでバーコード情報を読取らせる。ハンディスキャナで読取られたバーコード情報は、ＰＯＳ端末に出力される。ＰＯＳ端末では、バーコード情報に基づいて当該商品の販売情報が登録処理される。こうして、客が購入する全ての商品のバーコードをハンディスキャナで読み取らせると、キャッシャは、ＰＯＳ端末の小計キーを押下する。そうすると、ＰＯＳ端末では、当該客に対する請求金額が算出され表示されるので、キャッシャは、その請求金額に応じた支払いを客から受ける。
【０００３】
従来、ハンディスキャナ等の携帯型読取装置に、加速度センサを搭載して、任意位置間の寸法を測定するようにした技術は既に知られている。（例えば、特許文献１参照）
また、加速度センサが一定時間以上傾きを検知しなかった場合に読取装置の電源を自動的にオフすることで、省電力化を図る技術も既に知られている。（例えば、特許文献２参照）
【特許文献１】特開平８−１１４４３９号公報
【特許文献２】特開２００５−２７５８６７号公報
【発明の開示】
【発明が解決しようとする課題】
【０００４】
ところで、店舗での実際の運用では、１客が購入する商品のバーコードを読み取っている間でも、ＰＯＳ端末のキー操作を強いられる場面が多々見受けられる。例えば、同一商品を複数個登録する場合は、置数キーと乗算キーとを操作して個数を入力してからバーコードを読取る。また、バーコードを直前に読取った商品について客が購入の取り止めを申し出た場合は、取消キーを操作する。このような場面では、キャッシャは、通常、スキャナを利き腕で持っているため、スキャナを所定の場所に一旦置くか、他方の手に持ち替えてからキー操作をしており、操作が煩雑で手間がかかるという問題があった。
【０００５】
本発明はこのような事情に基づいてなされたもので、その目的とするところは、携帯型読取装置を用いて情報処理装置の入力操作を可能にし得、操作の手間を軽減できる情報処理システム、及びこのシステムで用いられる読取装置、情報処理装置、並びに読取装置対応プログラムを提供しようとするものである。
【課題を解決するための手段】
【０００６】
本発明は、携帯型の本体に、媒体の情報を読取る読取部を備えた読取装置と、読取装置と通信手段により接続され、読取部で読取られた情報を前記読取装置から受信するとその情報を処理する情報処理装置とを備えた情報処理システムにおいて、読取装置の本体に、当該本体の少なくとも２方向への移動を検出する移動検出手段を設け、情報処理装置に、移動検出手段による検出情報により本体の移動方向を判定する方向判定手段と、読取装置からの入力待ち項目を設定する入力項目設定手段と、この入力項目設定手段により設定される入力待ち項目と方向判定手段により判定される前記本体の移動方向とに基づいて読取装置からの入力情報を特定する入力情報特定手段とを設けたものである。
【発明の効果】
【０００７】
かかる手段を講じた本発明によれば、携帯型読取装置を用いて情報処理装置の入力操作を可能にし得、操作の手間を軽減できる情報処理システム、及びこのシステムで用いられる読取装置、情報処理装置、並びに読取装置対応プログラムを提供できる。
【発明を実施するための最良の形態】
【０００８】
以下、本発明を実施するための最良の形態について、図面を用いて説明する。  
なお、この実施の形態は、図１に示すように、ＰＯＳ端末１とハンディスキャナ２とからなる商品販売情報処理システムに本発明を適用した場合である。
【０００９】
本実施の形態において、ＰＯＳ端末１とハンディスキャナ２とは、通信手段としての通信ケーブル３で接続されている。ＰＯＳ端末１には、キーボード４、ディスプレイ５、プリンタ６、カードリーダ７等の入出力デバイスが実装されている。
【００１０】
ハンディターミナル２の側面図と背面図を図２及び図３に示す。図示するように、ハンディターミナル２は、携帯可能な本体２Ａの先端にバーコードの読取部８を設け、本体２Ａの略中央部に、オペレータが片手で握ることができる把持部９を形成している。そして、この把持部９の左側面部に、プッシュ式のトリガボタン１０を設けている。このトリガボタン１０が設けられている位置は、図３に示すように、右利きのオペレータが右手で把持部を握ったときに親指が当たる位置である。
【００１１】
ハンディターミナル２の要部構成を図４のブロック図で示す。ハンディターミナル２は、主制御部としてＣＰＵ（Central Processing Unit）１１を搭載している。そしてこのＣＰＵ１１に、アドレスバス，データバス等のバスライン１２を介してＲＯＭ（Read Only Memory）１３、ＲＡＭ（Random Access Memory）１４、通信インターフェイス１５、スキャナコントローラ１６、第１のセンサ信号入力部１７、第２のセンサ信号入力部１８及びボタン信号入力部１９を接続している。
【００１２】
通信インターフェイス１５は、通信ケーブル３を介して接続されるＰＯＳ端末１とのデータ通信を司る。スキャナコントローラ１６は、前記読取部８に設けられた光学式スキャナ２０のバーコード読取動作を制御する。第１のセンサ信号入力部１７は、第１の加速度センサ２１の検出信号を入力する。第２のセンサ信号入力部１８は、第２の加速度センサ２２の検出信号を入力する。ボタン信号入力部１９は、前記トリガボタン１０から出力される信号を入力する。
【００１３】
第１の加速度センサ２１及び第２の加速度センサ２２は、本体２Ａの把持部９に内蔵されており、それぞれ本体２Ａの一方向への移動に伴なう加速度を検出する。第１の加速度センサ２１は、操作者が読取部８を上にして把持部９を握った状態から本体２Ａを左右の横方向（この方向をＸ方向とする）に移動させたときの加速度を検出する。第２の加速度センサ２２は、操作者が同じく読取部８を上にして把持部９を握った状態から本体２Ａを上下の縦方向（この方向をＹ方向とする）に移動させたときの加速度を検出する。
【００１４】
ＣＰＵ１１は、スキャナ２０でバーコードが読取られると、そのバーコードに対応したバーコード信号をＰＯＳ端末１に送信する。また、ＣＰＵ１１は、トリガボタン１０が押圧操作されると、トリガボタン押下信号をＰＯＳ端末１に送信し、トリガボタン１０が押圧操作から開放されると、トリガボタン開放信号をＰＯＳ端末１に送信する。さらにＣＰＵ１１は、トリガボタン１０が押圧操作されている間、第１の加速度センサ２１及び第２の加速度センサ２２によって検出される加速度信号をＰＯＳ端末１に送信する。
【００１５】
ここに、ハンディターミナル２は、携帯型の本体２Ａに、媒体（バーコード）の情報を読取る読取部８を備えた読取装置として機能する。第１の加速度センサ２１及び第２の加速度センサ２２は、本体２ＡのＸ方向及びＹ方向への移動を検出する移動検出手段を構成する。トリガボタン１０は、移動検出手段（第１の加速度センサ２１及び第２の加速度センサ２２）による検出情報の出力を指令する出力指令手段を構成する。
【００１６】
ＰＯＳ端末１の要部構成を図５のブロック図で示す。ＰＯＳ端末１は、主制御部としてＣＰＵ３１を搭載している。そして、このＣＰＵ３１に、アドレスバス，データバス等のバスライン３２を介して、ＲＯＭ３３、ＲＡＭ３４、ＨＤＤ（Hard Disk Drive）３５、時計部３６、通信インターフェイス３７、キーボードコントローラ３８、表示コントローラ３９、プリンタコントローラ４０、カードリーダコントローラ４１及びスキャナインターフェイス４２を接続している。
【００１７】
通信インターフェイス３７は、ＬＡＮ（Local Area Network）等のネットワークを介して接続される上位コンピュータとのデータ通信を司る。スキャナインターフェイス４２は、通信ケーブル３を介して接続されるハンディターミナル２とのデータ通信を司る。
【００１８】
キーボードコントローラ３８は、前記キーボード４を制御し、操作キーに対応したキー信号を取り込む。表示コントローラ３９は、前記ディスプレイ５に対する画面表示を制御する。プリンタコントローラ４０は、前記プリンタ６によるレシート印字を制御する。カードリーダコントローラ４１は、前記カードリーダ７を制御し、電子マネーカードのカード情報を読取らせる。
【００１９】
ＰＯＳ端末１は、ハンディターミナル２からの入力に基づいて処理を実行するためのプログラムを、ＲＯＭ３３またはＨＤＤ３５に実装している。このプログラムに従ったＣＰＵ３１の制御手順を、図６の流れ図で示す。
【００２０】
ＰＯＳ端末１の電源オンによりプログラムが起動すると、ＣＰＵ３１は、ＳＴ（ステップ）１としてハンディターミナル２からバーコード信号が入力されるのを待機する。スキャナインターフェイス４２を介してバーコード信号が入力されると（ＳＴ１のＹＥＳ）、ＣＰＵ３１は、ＳＴ２としてそのバーコード信号からバーコード情報を取得し、処理する。例えばバーコード情報が商品のＰＬＵ（Price Look Up）コードであった場合には、商品マスタファイルを検索して、ＰＬＵコードに対応してプリセットされている商品名，単価等の商品情報を呼出し、売上登録処理を行う。
【００２１】
バーコード信号の入力を待機している間、ＳＴ３としてトリガボタン押下信号が入力されると（ＳＴ３のＹＥＳ）、ＣＰＵ３１は、ＳＴ４としてトリガボタン押下信号入力時点の状態から、１または２以上の入力待ち項目を設定する（入力項目設定手段）。そして、ＳＴ５としてこの入力待ち項目を、当該入力待ち項目の入力として特定されるハンディターミナル２の移動方向を示す情報とともに、ディスプレイ５に表示させる（入力項目表示手段）。
【００２２】
この状態で、ＣＰＵ３１は、ＳＴ６としてハンディターミナル２から第１または第２の加速度センサ２１，２２の検出信号が入力されるのを待機する（検出情報受信手段）。少なくとも一方の加速度センサ２１，２２の検出信号が入力されると（ＳＴ６のＹＥＳ）、ＣＰＵ３１は、ＳＴ７としてその検出信号により本体２Ａの移動方向を判定する（方向判定手段）。そして、ＳＴ８として現時点の入力待ち項目と本体２Ａの移動方向とに基づいてハンディターミナル２からの入力情報を特定し（入力情報特定手段）、この入力情報に応じた処理を実行する。この処理には、入力待ち項目を更新する入力項目更新手段としての処理も含まれる。
【００２３】
しかる後、ＣＰＵ３１は、ＳＴ９としてトリガボタン開放信号が入力されたか否かを判断する。入力されていない場合には（ＳＴ９のＮＯ），ＳＴ５の処理に戻る。すなわち、現時点の入力待ち項目を、当該入力待ち項目の入力として特定されるハンディターミナル２の移動方向を示す情報とともに、ディスプレイ５に表示させる。
【００２４】
ハンディターミナル２からトリガボタン開放信号が入力されると（ＳＴ９のＹＥＳ）、ＣＰＵ３１は、ＳＴ１０として当該開放信号入力時点の状態に従った処理を実行する。そして、この処理を実行したならば、ＣＰＵ３１は、ＳＴ１に戻り、次のバーコード入力またはトリガボタン入力を待機する。
【００２５】
かかる構成のハンディターミナル２とＰＯＳ端末１とを備えた商品販売情報処理システムでは、例えば客が同一商品を複数点購入した場合のＰＯＳ端末１の操作である乗算登録を効率よく処理することができる。以下、この乗算登録を具体例に、図７〜図１７を用いて本実施の形態の作用について説明する。なお、図７は、ＰＯＳ端末１におけるハンディターミナル２からの入力待ち項目の設定状態を示す変遷図である。図８〜図１７は、ＰＯＳ端末１のディスプレイ５に表示される画面の変遷図である。
【００２６】
図７において、記号Ｕはハンディターミナル２の上方向への移動を示し、記号Ｄは下方向への移動を示し、記号Ｌは左方向への移動を示し、記号Ｒは右方向への移動を示し、記号Ｃは回転方向への移動を示す。また、記号ＢＰは、トリガボタン１０が押下されたことを示し、記号ＢＬは、トリガボタン１０が開放されたことを示す。
【００２７】
ＰＯＳ端末１のオペレータであるキャッシャ（右利きとする）は、客が同一商品を例えば１７点購入していた場合、先ず、そのうちの１点を左手で取り上げる。そして、右手に持ったハンディターミナル２の読取部８を当該商品のバーコードに対向させて近づける。そうすると、読取部８のスキャナ２０によってバーコードが読取られ、そのバーコード信号がＰＯＳ端末１に入力される。バーコード信号を入力したＰＯＳ端末１では、そのバーコード信号から得られるバーコード情報を基に、当該商品の商品名，単価等の商品情報を取得する。
【００２８】
次に、バーコードを読取操作したキャッシャは、ハンディターミナル２の把持部９を握った右手の親指部分にあるトリガボタン１０を押下する。そうすると、トリガボタン押下信号がＰＯＳ端末１に入力される。これにより、ＰＯＳ端末１では、図７の開始５０の時点から、トリガボタン１０が開放されたので、バーコード入力時点の入力待ち項目を示すメニュー１の表示状態となる（図７の５１）。
【００２９】
このとき、ディスプレイ５には、図８のメニュー画面が表示される。図示するように、この時点における入力待ち項目は、上方向への移動で特定される「決済手段」と、右方向への移動で特定される「次へ」と、下方向への移動で特定される「読取時操作」と、左方向への移動で特定される「前へ」との４項目である。
【００３０】
この状態で、キャッシャがハンディターミナル２を右方向へ移動させた場合は、メニュー２の表示状態となり（図７の５２）、左方向へ移動させた場合は、メニューＸの表示状態となる。これらのメニューについては、説明を省略する。
【００３１】
本具体例では、キャッシャは、ハンディターミナル２を下方向へ移動させる。そうすると、ハンディターミナル２からは、本体２Ａの下方向への移動に伴った各加速度センサ２１，２２の検出信号がＰＯＳ端末１に入力される。これにより、ＰＯＳ端末１では、メニュー１の入力待ち項目の中から、下方向に対応した入力待ち項目「読取時操作」が選択される。そして、項目「読取時操作」の処理が実行され、新たな入力待ち項目のメニュー表示状態に更新される（図７の５４）。
【００３２】
このとき、ディスプレイ５には、図９のメニュー画面が表示される。図示するように、この時点における入力待ち項目は、上方向への移動で特定される「次へ」と、右方向への移動で特定される「個数入力」と、左方向への移動で特定される「読取取消」との３項目である。
【００３３】
この状態で、キャッシャがハンディターミナル２を左方向へ移動させた場合は、読取取消待機状態となり（図７の５５）、さらに、キャッシャがトリガボタン１０から指を離すと、ＰＯＳ端末１は、直前に入力したバーコード情報の取消処理を実行する。
【００３４】
本具体例では、キャッシャは、ハンディターミナル２を右方向へ移動させる。そうすると、ハンディターミナル２からは、本体２Ａの右方向への移動に伴った各加速度センサ２１，２２の検出信号がＰＯＳ端末１に入力される。これにより、ＰＯＳ端末１では、読取時操作メニューの入力待ち項目の中から、右方向に対応した入力待ち項目「個数入力」が選択される。そして、項目「個数入力」の処理が実行され、新たな入力待ち項目のメニュー表示状態に更新される（図７の５６）。
【００３５】
このとき、ディスプレイ５には、図１０に示すように、トリガボタン１０の開放を要求する画面が表示される。この状態で、キャッシャがハンディターミナル２を左方向へ移動させた場合は、図９のメニュー画面に戻る。
【００３６】
本具体例では、キャッシャは、トリガボタン１０から指を離す。そうすると、ハンディターミナル２からは、トリガボタン開放信号がＰＯＳ端末１に入力される。これにより、ＰＯＳ端末１では、トリガボタン１０が開放されたことに応じた確定処理が実行され、新たな入力待ち項目のメニュー表示状態に更新される（図７の５７）。
【００３７】
このとき、ディスプレイ５には、図１１に示すように、トリガボタン１０の再押下を要求する画面が表示される。
【００３８】
そこでキャッシャは、トリガボタン１０を再度押下する。そうすると、ハンディターミナル２からは、トリガボタン押下信号がＰＯＳ端末１に入力される。これにより、ＰＯＳ端末１では、トリガボタン１０が押下されたことに応じた開始処理が実行され、新たな入力待ち項目のメニュー表示状態に更新される（図７の５８）。
【００３９】
このとき、ディスプレイ５には、図１２のメニュー画面が表示される。図示するように、この時点における入力待ち項目は、右方向への移動で特定される「１個ずつ追加」と、下方向への移動で特定される「５個ずつ追加」と、旋回方向への移動で特定される「１０個ずつ追加」との３項目である。
【００４０】
ここで、販売点数１７を登録するために、キャッシャは、先ず、ハンディターミナル２を１回転させる。そうすると、ハンディターミナル２からは、本体２Ａの旋回移動に伴った各加速度センサ２１，２２の検出信号がＰＯＳ端末１に入力される。これにより、ＰＯＳ端末１では、個数入力待機状態の入力待ち項目の中から、旋回方向に対応した入力待ち項目「１０個ずつ追加」が選択される。そして、項目「１０個ずつ追加」の処理が実行され、新たな入力待ち項目のメニュー表示状態に更新される。このとき、ディスプレイ５には、図１３のメニュー画面が表示される。すなわち、販売点数１０点が入力されたことが示される。
【００４１】
次に、キャッシャは、ハンディターミナル２を下方向へ移動させる。そうすると、ハンディターミナル２からは、本体２Ａの下方向への移動に伴った各加速度センサ２１，２２の検出信号がＰＯＳ端末１に入力される。これにより、ＰＯＳ端末１では、個数入力待機状態の入力待ち項目の中から、下方向に対応した入力待ち項目「５個ずつ追加」が選択される。そして、項目「５個ずつ追加」の処理が実行され、新たな入力待ち項目のメニュー表示状態に更新される。このとき、ディスプレイ５には、図１４のメニュー画面が表示される。すなわち、販売点数１５点が入力されたことが示される。
【００４２】
次に、キャッシャは、ハンディターミナル２を右方向へ移動させる。そうすると、ハンディターミナル２からは、本体２Ａの右方向への移動に伴った各加速度センサ２１，２２の検出信号がＰＯＳ端末１に入力される。これにより、ＰＯＳ端末１では、個数入力待機状態の入力待ち項目の中から、右方向に対応した入力待ち項目「１個ずつ追加」が選択される。そして、項目「１個ずつ追加」の処理が実行され、新たな入力待ち項目のメニュー表示状態に更新される。このとき、ディスプレイ５には、図１５のメニュー画面が表示される。すなわち、販売点数１６点が入力されたことが示される。
【００４３】
次に、キャッシャは、ハンディターミナル２をもう一度右方向へ移動させる。この場合も、上記と同様に作用する。そして、ディスプレイ５には、図１６のメニュー画面が表示される。すなわち、販売点数１７点が入力されたことが示される。
【００４４】
そこでキャッシャは、トリガボタン１０から指を離す。そうすると、ハンディターミナル２からは、トリガボタン開放信号がＰＯＳ端末１に入力される。これにより、ＰＯＳ端末１では、トリガボタン１０が開放されたことに応じた確定処理が実行される。このとき、ディスプレイ５には、図１７に示すように、販売点数１７点で確定される。そして、直前に入力されたバーコード情報で特定される商品１７点の乗算登録処理が実行される。
【００４５】
このように、本実施の形態によれば、キャッシャは、商品のバーコードを読取ったハンディターミナル２から手を離すことなく、このハンディターミナル２を所定の方向に数回移動させるだけで、当該商品全１７点の乗算登録をＰＯＳ端末１に処理させることができる。したがって、ハンディターミナル２を所定の場所に一旦置いたり、他方の手に持ち替えてからキー操作をしたりする手間が不要となるので、操作の手間を軽減できる利点がある。
【００４６】
ところで、図８に示すメニュー１画面の表示状態において、キャッシャがハンディターミナル２を上方向に移動させた場合には、ＰＯＳ端末１では、メニュー１の入力待ち項目の中から、上方向に対応した入力待ち項目「決済手段」が選択される。そして、項目「決済手段」の処理が実行され、新たな入力待ち項目のメニュー表示状態に更新される（図７の５９）。
【００４７】
このとき、ディスプレイ５には、図１８のメニュー画面が表示される。図示するように、この時点における入力待ち項目は、左方向への移動で特定される「カードＡ決済」と、右方向への移動で特定される「カードＢ決済」と、下方向への移動で特定される「カードＣ決済」との３項目である。
【００４８】
ここで、キャッシャがハンディターミナル２を左方向へ移動させ、さらに、トリガボタン１９から指を離すと、ＰＯＳ端末１では、カードＡでの決済確定処理が実行され、図１９に示すように、カードＡでの決済が確定した旨がディスプレイ５に表示される。この場合も、キャッシャは、商品のバーコードを読取ったハンディターミナル２から手を離すことなく、このハンディターミナル２を所定の方向に数回移動させるだけで、カードＡでの決済を確定させることができる。以後、キャッシャは、客が購入した商品の代金について、カードＡでの支払いに対応すればよい。
【００４９】
なお、この発明は前記実施形態そのままに限定されるものではなく、実施段階ではその要旨を逸脱しない範囲で構成要素を変形して具体化できる。
【００５０】
例えば、前記実施の形態では、ハンディターミナル２の移動方向を検出する移動検出手段として、異なる２方向への加速度をそれぞれ検出する２つの加速度センサ２１，２２を例示したが、移動方向検出手段は、これに限定されるものではない。例えば、異なる３方向以上への加速度をそれぞれ検出する３つ以上の加速度センサによって、移動検出手段を構成してもよい。また、加速度センサ以外のセンサ等を利用して、ハンディターミナル２の少なくとも２方向への移動を検出してもよい。また、加速度センサの取付位置も、本実施の形態に限定されないのは言うまでも無いことである。
【００５１】
また、本発明に係る読取装置は、バーコードスキャナを備えたハンディターミナル２に限定されるものではない。例えば、ＲＦＩＤタグの情報を、無線を利用して非接触で読取るＲＦＩＤタグリーダ又はＲＦＩＤリーダ・ライタに移動検出手段を設けて、本発明の情報処理システムを構築してもよい。
【００５２】
また、本発明に係る情報処理装置は、ＰＯＳ端末に限定されるものではない。ハンディスキャナ２やＲＦＩＤリーダ等の読取装置を、データの入力手段として用いることが可能なコンピュータ機器であれば、本発明を適用することができる。
【００５３】
さらに、本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【００５４】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００５５】
【図１】本発明の一実施の形態である商品販売情報処理システムの概略を示す外観図。
【図２】同実施の形態で用いられるハンディターミナルの側面図。
【図３】同実施の形態で用いられるハンディターミナルの背面図。
【図４】同実施の形態で用いられるハンディターミナルの要部構成を示すブロック図。
【図５】同実施の形態で用いられるＰＯＳ端末の要部構成を示すブロック図。
【図６】同実施の形態で用いられるＰＯＳ端末のＣＰＵが実行する主要な制御処理手順を示す流れ図。
【図７】同実施の形態で用いられるＰＯＳ端末の状態偏移例を示す模式図。
【図８】図７における「メニュー１表示状態」の表示例を示す模式図。
【図９】図８の状態から入力待ち項目「読取時操作」が選択された後の「読取時操作メニュー表示状態」の表示例を示す模式図。
【図１０】図９の状態から入力待ち項目「個数入力」が選択された後の「ボタン開放待機状態」の表示例を示す模式図。
【図１１】図１０の状態からトリガボタンが開放された後の「ボタン押下待機状態」の表示例を示す模式図。
【図１２】図１１の状態からトリガボタンが押下された後の「個数入力待機状態」の表示例を示す模式図。
【図１３】図１２の状態から入力待ち項目「１０個ずつ追加」が選択された後の「個数入力待機状態」の表示例を示す模式図。
【図１４】図１３の状態から入力待ち項目「５個ずつ追加」が選択された後の「個数入力待機状態」の表示例を示す模式図。
【図１５】図１４の状態から入力待ち項目「１個ずつ追加」が選択された後の「個数入力待機状態」の表示例を示す模式図。
【図１６】図１５の状態から入力待ち項目「１個ずつ追加」が選択された後の「個数入力待機状態」の表示例を示す模式図。
【図１７】図１６の状態からトリガボタンを開放した後の「個数確定状態」の表示例を示す模式図。
【図１８】図８の状態から入力待ち項目「決済手段」が選択された後の「決済メニュー表示状態」の表示例を示す模式図。
【図１９】図１８の状態から入力待ち項目「カードＡ決済」が選択され、さらにトリガボタンを開放した後の「カードＡ決済確定状態」の表示例を示す模式図。
【符号の説明】
【００５６】
１…ＰＯＳ端末、２…ハンディターミナル、３…通信ケーブル、４…キーボード、５…ディスプレイ、６…プリンタ、７…カードリーダ、８…読取部、９…把持部、１０…トリガボタン、２０…スキャナ、２１…第１の加速度センサ、２２…第２の加速度センサ。
【図１】
2010055198.tif 000003
【図２】
2010055198.tif 000004
【図３】
2010055198.tif 000005
【図４】
2010055198.tif 000006
【図５】
2010055198.tif 000007
【図６】
2010055198.tif 000008
【図７】
2010055198.tif 000009
【図８】
2010055198.tif 000010
【図９】
2010055198.tif 000011
【図１０】
2010055198.tif 000012
【図１１】
2010055198.tif 000013
【図１２】
2010055198.tif 000014
【図１３】
2010055198.tif 000015
【図１４】
2010055198.tif 000016
【図１５】
2010055198.tif 000017
【図１６】
2010055198.tif 000018
【図１７】
2010055198.tif 000019
【図１８】
2010055198.tif 000020
【図１９】
2010055198.tif 000021